(57)【特許請求の範囲】
【請求項１】
トラクタの機体後部にロータリ作業機及びマルチフィルム敷設機を連結し、該トラクタに牽引されて前進するマルチフィルム敷設機の前進に伴ってマルチフィルムの繰出部から該マルチフィルムを繰り出して前記ロータリ作業機にて耕耘された土壌表面にマルチフィルムを敷設するように構成されたマルチフィルム敷設機であって、該マルチフィルム敷設機によって前回工程で敷設されたマルチフィルムの一側縁部に、後工程で敷設されるマルチフィルムの一側縁部が重なるように、マルチフィルムの繰出部がオフセットされて該後工程のマルチフィルムが敷設され、更に、前記双方のマルチフィルムの一側縁部を接着具で接着するように構成されたマルチフィルム敷設機であって、前記マルチフィルム繰出部の側方下部近傍に、前回工程で敷設したマルチフィルムの前記一側縁部上面の泥土を掃除するための掃除具を設けた全面マルチフィルム敷設装置に於いて、
上記掃除具は、機体左右方向に設けたサイドビーム両端に連設されたアームの先端から連杆が下方に向けて設けられ、該連杆から前方に向けてステーが連設され、該ステーの前端部に前方へ突設して取付けられた取付杆に設けられたブラシ、及び該ブラシに近接してその後方に配設された風吹出口とで構成されており、更に、該風吹出口は電動ファンに連設され、前記接着具たる接着テープの中心線に対して所定角度傾斜して該ブラシと平行に配設されており、且つ、該風吹出口は該接着テープの中心線から外側方向に配設されると共に、後方へ所定角度傾斜して取付けられてなることを特徴とする全面マルチフィルム敷設装置。
【発明の詳細な説明】
【０００１】
【発明の属する技術分野】
本発明は、全面マルチフィルム敷設装置に関するものであり、特に、前回工程で敷設したマルチフィルムの一側縁部上面に付着している泥土等を掃除して、後工程で敷設されるマルチフィルムの一側縁部を前記掃除された前回工程で敷設されたマルチフィルムの一側縁部に重ねて接着できるようにした全面マルチフィルム敷設装置に関するものである。
【０００２】
【従来の技術及び発明が解決しようとする課題】
本願出願人は此種マルチフィルム敷設機を特願平７−１８５７７２号として先に特許出願している。而して、この出願に係る装置は、トラクタの機体後部にロータリ作業機及びマルチフィルム敷設機を連結し、該トラクタに牽引されて前進するマルチフィルム敷設機の前進に伴ってマルチフィルムの繰出部から該マルチフィルムを繰り出して前記ロータリ作業機にて耕耘された土壌表面にマルチフィルムを敷設するように構成されたマルチフィルム敷設機であって、該マルチフィルム敷設機によって前回工程で敷設されたマルチフィルムの一側縁部に、後工程で敷設されるマルチフィルムの一側縁部が重なるように、マルチフィルムの繰出部がオフセットされて該後工程のマルチフィルムが敷設され、更に、前記双方のマルチフィルムの一側縁部を接着具で接着するように構成されたマルチフィルム敷設機である。
【０００３】
然るに、この装置では、前回工程で敷設されたマルチフィルム一側縁部上面には泥土等が付着した儘の状態で、後工程で敷設されるマルチフィルムの一側縁部が重ねられ、そして、双方のマルチフィルム一側縁部が接着テープ等によって接着せられることになる。然るときは、双方のマルチフィルム間に泥土等が介在して前記接着性能を阻害することがある。
【０００４】
そこで、前回工程で敷設されたマルチフィルム一側縁部上面の泥土等を除去して後工程で敷設されるマルチフィルムとの接着性能を向上させるために解決せらるべき技術的課題が生じてくるのであり、本発明は該課題を解決することを目的とする。
【０００５】
【課題を解決するための手段】
この発明は上記目的を達成するために提案せられたものであり、トラクタの機体後部にロータリ作業機及びマルチフィルム敷設機を連結し、該トラクタに牽引されて前進するマルチフィルム敷設機の前進に伴ってマルチフィルムの繰出部から該マルチフィルムを繰り出して前記ロータリ作業機にて耕耘された土壌表面にマルチフィルムを敷設するように構成されたマルチフィルム敷設機であって、該マルチフィルム敷設機によって前回工程で敷設されたマルチフィルムの一側縁部に、後工程で敷設されるマルチフィルムの一側縁部が重なるように、マルチフィルムの繰出部がオフセットされて該後工程のマルチフィルムが敷設され、更に、前記双方のマルチフィルムの一側縁部を接着具で接着するように構成されたマルチフィルム敷設機であって、前記マルチフィルム繰出部の側方下部近傍に、前回工程で敷設したマルチフィルムの前記一側縁部上面の泥土を掃除するための掃除具を設けた全面マルチフィルム敷設装置に於いて、
上記掃除具は、機体左右方向に設けたサイドビーム両端に連設されたアームの先端から連杆が下方に向けて設けられ、該連杆から前方に向けてステーが連設され、該ステーの前端部に前方へ突設して取付けられた取付杆に設けられたブラシ、及び該ブラシに近接してその後方に配設された風吹出口とで構成されており、更に、該風吹出口は電動ファンに連設され、前記接着具たる接着テープの中心線に対して所定角度傾斜して該ブラシと平行に配設されており、且つ、該風吹出口は該接着テープの中心線から外側方向に配設されると共に、後方へ所定角度傾斜して取付けられてなる全面マルチフィルム敷設装置を提供するものである。
【０００６】
【発明の実施の形態】
以下、本発明の実施の形態を図面に従って詳述する。尚、説明の都合上、本願出願人が先に出願した特願平７−１８５７７２号に係る構成に関連するものから説明する。図１及び図２はマルチフィルム敷設機１０を示し、トラクタの機体後部にロータリ作業機１１を連結し、該ロータリ作業機１１の耕耘爪１２とリヤカバー１３との間に薬剤注入機１４を設ける。この薬剤注入機１４は、リヤカバー１３の前後方向へ開穿されたスリット１５へ挿通されており、左右方向へ並設されている耕耘爪１２，１２間に略等間隔で一列に配設されている。即ち、耕耘爪１２の回転軌跡内に薬剤注入機１４を配置したことにより、装置の全長を短縮することができる。尚、リヤカバー１３にはスリット１５を開穿してあるので、薬剤注入機１４に干渉することなくリヤカバー１３が回動できる。
【０００７】
また、ツールバー１６の上部に電動ポンプ１７を搭載し、タンク（図示せず）に充填された薬剤を汲み上げて前記薬剤注入機１４へ圧送する。ツールバー１６の後部には左右方向にサイドビーム１８を設けてあり、その後方下部位置にマルチフィルムの繰出部１９が設置されている。該繰出部１９にはマルチフィルム２０のロールが装着され、トラクタに牽引されたマルチフィルム敷設機１０の前進に伴って、該繰出部１９からマルチフィルム２０が繰り出されるように形成されている。このとき、マルチフィルム２０のロールの後方に押さえローラ２１を設け、この押さえローラ２１をマルチフィルム２０のロールへ軽く圧接させることにより、マルチフィルム２０が安定的に繰り出されるようにしてある。
【０００８】
一方、前記耕耘爪１２とマルチフィルムの繰出部１９との間には、耕耘爪１２の全幅に亘って鎮圧ローラ２２が設けられている。該鎮圧ローラ２２は、前記耕耘爪１２で耕耘されながら薬剤を注入された土壌の表面を鎮圧し、畝床の凹凸をなくしてマルチフィルム２０の敷設作業を容易且つ確実に行えるようにしている。また、消毒された直後の土壌を鎮圧ローラ２２で鎮圧することにより、注入された薬剤が地表面から浅い位置に均一に配分されるとともに、マルチフィルム２０を敷設するまでの間に薬剤が飛散するのを防止することができる。尚、該鎮圧ローラ２２はマルチフィルム敷設機１０の自重を支えるとともにロータリ作業機１１のゲージ輪としても作用し、別途ゲージ輪を備える必要がなくなるので装置の全長を短くすることができる。
【０００９】
更に、前記サイドビーム１８の左右後方へアーム２３，２３を突設し、夫々のアーム２３へ案内輪２４と鎮圧輪２５を設け、前記繰出部１９から繰り出されたマルチフィルム２０の左右両端をこの案内輪２４と鎮圧輪２５とで押さえる。該アーム２３には覆土ディスク２６とスポンジ輪２７とが設けられており、マルチフィルム２０の端部の処理方法によって覆土ディスク２６とスポンジ輪２７とを選択してセットする。また、ツールバー１６の左右前方位置に夫々排土ディスク２８，２８を設け、必要に応じてこの排土ディスク２８を下方へ倒回して接地することにより、マルチフィルム２０の端部に相当する位置へ連続的に作溝できるように形成してある。
【００１０】
ここで、当該マルチフィルム敷設機１０により、圃場を消毒しながらマルチフィルム２０を敷設していく場合は、圃場の一端部から他端部までを複数回往復して敷設作業を行う。１列目の敷設作業時は、前記左右のアーム２３，２３の双方に覆土ディスク２６，２６をセットし、スポンジ輪２７，２７は上方へ跳ね上げておく。また、左右の排土ディスク２８，２８も下方へ倒回してセットする。この状態で、ロータリ作業機１１の耕耘爪１２により圃場を耕耘しながら、左右の排土ディスク２８，２８にてマルチフィルム２０の両端部に相当する位置を連続的に作溝し、耕耘爪１２によって耕耘された土壌へ薬剤注入機１４にて薬剤を注入する。続いて、前記鎮圧ローラ２２により土壌を鎮圧して凹凸をなくし、マルチフィルム２０の敷設を容易に行えるようにする。そして、繰出部１９から繰り出されたマルチフィルム２０は左右の案内輪２４，２４にて押圧され、前記排土ディスク２８，２８による作溝部位にマルチフィルム２０の両端部が凹状に敷設され、この凹状部分へ覆土ディスク２６，２６にて土をかけた後に鎮圧輪２５，２５で鎮圧すれば、マルチフィルム２０の左右両端は覆土された土によって固定される。
【００１１】
このようにして、前回工程の１列目のマルチフィルム２０が敷設された後に、当該マルチフィルム敷設機１０を反転して後工程の２列目の敷設作業を行う。このときは、既に敷設されている前回工程の１列目のマルチフィルム２０の他側縁部へ、新たに敷設するマルチフィルム２０の一側縁部を重ね合せることができるように該マルチフィルム２０のロールは一定の幅だけオフセットされる。更に、１列目側のアーム２３の覆土ディスク２６を上方へ跳ね上げてスポンジ輪２７をセットする。また、１列目側の排土ディスク２８も上方へ跳ね上げておく。そして、１列目のときと同様にして、土壌を消毒しながらマルチフィルム２０を敷設する。このとき、前記サイドビーム１８の端部に装着されているロール２９から接着テープ３０を引き出し、１列目のマルチフィルム２０と２列目のマルチフィルム２０とをこの接着テープ３０にて接着した後に、前記スポンジ輪２７で押圧する。
【００１２】
一方、１列目のマルチフィルム２０とは反対側の未敷設側の他端部は、前記排土ディスク２８によって作溝し、繰り出された２列目のマルチフィルム２０の他端縁部へ１列目と同様にして覆土ディスク２６にて覆土する。このようにして、複数列のマルチフィルム２０を順次敷設していき、隣接するマルチフィルムを接着テープ３０で接着していくことにより、圃場全面に亘って土壌の消毒とマルチフィルムの敷設とを連続的に行うことができる。
【００１３】
図３、図４はこの発明の要旨の一実施の形態を示す。図に於て、前記左右のスポンジ輪２７，２７は夫々ステー３１の先端部に枢着されており、且つ、該ステー３１は前記サイドビーム１８の両端部近傍に連設されたアーム２３，２３の先端部に垂設された連杆３２，３２から前方水平方向へ連設されている。更に、該ステー３１の前端部にはブラシ３３を取付けたブラシ取付杆３４が前方へ突設されており、更に、該ブラシ３３に接近してその後方へ風吹出口３５を配設し、そして、該風吹出口３５は図１、図２及び図８に示す電動ファン３６にフレキシブルパイプ３６ａによって連設され、該電動ファン３６から送風される風を前記ブラシ３３で掃除した前回工程のマルチフィルム２０上面に残存している細かい泥粉等を後工程にて耕耘される側へ吹き払うように構成されている。そこで、該ブラシ３３及び風吹出口３５は前記接着テープ３０のロール２９の下部近傍に配設されると共に、該ブラシ３３は接着テープ３０に対して所定角度に傾斜して配設され、且つ、該ブラシ３３の両端部は該接着テープ３０の両側縁よりやや外方へ突出せしめてある。更に、前記風吹出口３５は該ブラシ３３と平行に配設され、且つ、接着テープ３０の中心線Ｃから外側方向へ配設され、そして、後工程のマルチフィルム敷設機１０の進行方向に該風吹出口３５から吹き出される風を吹き出して前回工程にて敷設されたマルチフィルムの一側縁部上の泥土を飛散させるように構成されている。因みに、図４（ａ）の図示例では、該風吹出口３５は接着テープ３０の中心線Ｃに対してθの角度で傾斜して配設されている。而して、このθは略４５度であるが之に限定せらるべきではない。更に又、図４（ｂ）に示す如く、該風吹出口３５は後方へ対して角度αに傾斜して取付けられることにより、前記泥土を後工程にて耕耘される土壌方向に吹き飛ばすことができ、該前回工程にて敷設されたマルチフィルム２０の前記一側縁部上面を綺麗に掃除し、この後、後工程にて敷設されるマルチフィルム２０の一側縁部をこの掃除された部分の上面に重ね乍ら該後工程のマルチフィルム２０の敷設を行い、そして、前記接着テープ３０が双方のマルチフィルム２０，２０の一側縁部上に繰り出されてスポンジ輪２７によって押圧され、双方のマルチフィルム２０，２０が適正に接着せられることになる。
【００１４】
図５及び図６は本発明の要旨の更に他の実施の形態を示す。尚、図３の構成と同一部分は同一符号を付してその説明を省略する。図に於て、左右の各スポンジ輪２７，２７のステー３１，３１の夫々の先端部に筒体３７を外側へ突設し、そして、夫々の筒体３７に平行リンク３８の後端部を側方への突出量調整自在に、且つ、マルチフィルム敷設機１０の前進方向へ取付け、更に、該平行リンク３８の前端部にゲージ輪３９を取付けてある。又、該平行リンク３８から該平行リンク３８と平行に腕片４０を取付け、該腕片４０にブラシ３３ａ及び風吹出口３５ａが取付けられている。而して、該ブラシ３３ａ及び風吹出口３５ａは図３の実施の形態に示すように配設されるを可とする。然るときは、図３の実施の形態と同一の機能を有することになる。而して、この実施の形態に於ては、ブラシ３３ａ及び風吹出口３５ａが平行リンク３８を介してゲージ輪３９で支持されており、且つ、該ゲージ輪３９は前回工程にて平坦化された土壌表面に敷設されたマルチフィルム２０上を転動することになるから上下動が少ない。従って、該ブラシ３３ａ及び風吹出口３５ａは該ゲージ輪３９によって高さが規制され、マルチフィルム敷設機１０の前進時の起伏による上下動作に影響されず、良好なるマルチフィルム２０上の泥土等の掃除作用を為すことができる。
【００１５】
図７は風吹出口３５又は３５ａから風を吹出すとき、マルチフィルム繰出部１９のオフセット動作に連動して風向きを切換えるようにしたものである。図に於てサイドビーム１８は、図２に示すツールバー１６に対して左右にオフセットできるように構成されている。即ち、該ツールバー１６の両側部から後方へ突設された支持片４１，４１の後端部へリンク片４２，４２の一端部を枢着し、更に、該リンク片４２，４２の他端部を該サイドビーム１８に相互に平行に枢着すると共に、連杆４２ａを該リンク片４２，４２の一端部に枢着して平行リンク機構を構成している。而して、該リンク片４２，４２の一端部は前述せる如く前記ツールバー１６に固設された支持片４１，４１に枢着されているので、この枢着点は揺動せず、該リンク片４２，４２の左右回動により該サイドビーム１８が左右にオフセットすることになる。従って、このサイドビーム１８に取付けられているマルチフィルム２０の繰出部１９及び接着テープ３０のロール２９等も前回工程のマルチフィルム敷設時と反対側にオフセットして後工程のマルチフィルム敷設作業が行われることになる。
【００１６】
又、該サイドビーム１８の略中心部上方へ切換ステー４３，４３が所定間隔を有して突設されており、更に、該サイドビーム１８の上方であって、前記ツールバー１６から突設された支持部材（図示せず）等に電動ファン３６が載設されており、該電動ファン３６にて生成される風を前記左右の接着テープ３０，３０のロール２９，２９の下部近傍に配設されている前記風吹出口３５，３５又は３５ａ，３５ａの何れかに送風するとき、マルチフィルム２０のロールがオフセットされた側の風吹出口３５又は３５ａに送風されるように、該電動ファン３６に連設された風分配管４５内に風向切換用シャッター４６を配設し、且つ、該風向切換用シャッター４６の下端部を前記切換ステー４３，４３間に挿入し、そして、該サイドビーム１８のオフセット動作により左右に移動する切換ステー４３，４３にて該風向切換用シャッター４６を支点４６ａを回動中心として左右に回動せしめ、風分配管４５の左右端部に連結されている前記フレキシブルパイプ３６ａ，３６ａのうち、之に連結されてオフセットされた側の風吹出口３５又は３５ａ側のフレキシブルパイプ３６ａに前記風が送られるように構成されている。
【００１７】
斯くして、前記電動ファン３６によって生成された風はオフセットされた側の風吹出口３５，３５ａにすべて送風されるので、強力な風量を得ることが可能となり、且つ、マルチフィルム繰出部１９のオフセット動作と連動させて前述の風向きを切換えるので該切換え操作を忘れることはない。
【００１８】
又、本発明は前記電動ファン３６等で送られる風の風吹出口３５又は３５ａを接着テープ３０の幅と略同一又はそれより幅広で且つ薄型の小型に形成し、又は長円形状に形成して前述の接着テープ３０の接着面より前方に配設しておけば、該電動ファン３６にて生成される風は該風吹出口３５又は３５ａより強力な風が吹き出されることになる。然るときは、掃除具としてはこの風吹出口３５又は３５ａのみでも前回工程で敷設された前記マルチフィルム２０上面の泥土等は充分に吹き飛ばすことも可能となる筈である。
【００１９】
更に又、前記ブラシ３３又は３３ａを接着テープ３０の幅と略同一又は既に説明したようにそれ以上の幅広に形成して、該ブラシ３３又は３３ａの外側部が内側部よりマルチフィルム敷設機１０の進行方向に対して先行するように傾斜して取付ける場合は、該ブラシ３３又は３３ａの外側部が内側部より先行して前進するので、ロータリ作業機１１によって吹き飛ばされた大きめの泥土を後工程にて耕耘されている土壌方向へ掃き出し、そして、残った細かい粉状の塵埃等を前記風吹出口３５又は３５ａによって吹き払うことができ、前述の接着テープ３０による接着作業を極めて効果的に為すことができる。
【００２０】
尚、本発明は、本発明の精神を逸脱しない限り種々の改変を為すことができ、そして、本発明が該改変されたものに及ぶことは当然である。
【００２１】
【発明の効果】
この発明は上記実施の形態に詳述せる如く、マルチフィルム敷設機の前進に伴って繰り出されるマルチフィルムをロータリ作業機にて耕耘した土壌表面に敷設するとき、前回工程に於いて敷設されたマルチフィルムの一側縁部と後工程によって敷設されるマルチフィルムの一側縁部とを重ね、そして接着具によって双方のマルチフィルムを接着する際、該接着面の前方に於いて、前回工程で敷設されたマルチフィルムの一側縁部上面の泥土類を掃除するための掃除具を機体左右方向に設けたサイドビーム両端に連設されたアームの先端から連杆が下方に向けて設けられ、該連杆から前方に向けてステーが連設され、該ステーの前端部に前方へ突設して取付けられた取付杆に設けられたブラシ、及び該ブラシに近接してその後方に配設された風吹出口とで構成して配設したため、前回工程で敷設されたマルチフィルムの一側縁部上面が綺麗に掃除される。即ち、この発明の掃除具は前記ブラシで掃除した前回工程のマルチフィルム上面に残存している細かい泥土等を、電動ファンから送られる風を前記風吹出口から吹き出して飛散させ吹き払うので、マルチフィルムの前記一側縁部上面が一層綺麗に掃除される。
更に、前記風吹出口は電動ファンに連設され、前記接着具たる接着テープの中心線に対して所定角度傾斜して該ブラシと平行に配設されており、且つ、該風吹出口は該接着テープの中心線から外側方向に配設されると共に、後方へ所定角度傾斜して取付けられているので、前記泥土等を後工程にて耕耘される土壌方向に吹き飛ばすことができる。
そして、この掃除された面に後工程で敷設されるマルチフィルムの一側縁部が重なり、前回工程及び後工程にて敷設される双方のマルチフィルムを接着具にて接着するとき、前記重なり部分に泥土類が介在していないので該接着作業が極めて円滑且つ確実に行われる等、著大なる効果を奏する発明である。
【図面の簡単な説明】
【図１】本発明を実施したマルチフィルム敷設機の側面図。
【図２】図１の平面図。
【図３】本発明の掃除具の一実施の形態を示し、その解説斜視図。
【図４】（ａ）図３の掃除具の部分の解説平面図。
（ｂ）図４（ａ）のＡ方向から見た側面図。
【図５】本発明の掃除具の他の実施の形態を示し、その解説斜面図。
【図６】図５の掃除具部分の平面図。
【図７】本発明の更に他の実施の形態を示し、マルチフィルムの繰出部及び左右の接着テープのローラ並びに左右の風吹出口を背面より見たときの解説図。
【符号の説明】
１０          マルチフィルム敷設機
１１          ロータリ作業機
１９          繰出部
２０          マルチフィルム
３０          接着テープ
３３，３３ａ  ブラシ
３５，３５ａ  風吹出口
【図１】
0003637659.tif 000002
【図２】
0003637659.tif 000003
【図３】
0003637659.tif 000004
【図４】
0003637659.tif 000005
【図５】
0003637659.tif 000006
【図６】
0003637659.tif 000007
【図７】
0003637659.tif 000008